(57)【要約】  携帯端末（４）が設置端末（２）と携帯端末（４）とを通信可能にするための接続情報を第２表示面（４０）に表示させるステップと、設置端末（２）が第２表示面（４０）を第１表示面（２０）に対向するように第１表示面（２０）上に配置された携帯端末（４）の第２表示面（４０）に表示された接続情報を読取部によって読取ることで接続情報を取得するステップと、設置端末（２）が接続情報を用いて携帯端末（４）との接続を確立するステップと、設置端末（２）が携帯端末（４）を表示面（２０）で操作するための操作画像（２００）を表示面（２０）に表示させるステップと、設置端末（２）が操作画像（２００）に対する操作を操作検出部によって検出し、検出結果に応じた処理を行わせるための処理指示を携帯端末（４）へ送信するステップと、携帯端末（４）が処理指示に応じた処理を行うステップと、を行う。
2014024257.tif 000002
【特許請求の範囲】
【請求項１】
画像を表示する第１表示面、操作を検出する操作検出部、および物体の表面の情報を読取る読取部を備える第１端末と、画像を表示する第２表示面を備える第２端末と、が通信可能に接続された情報処理システムにおける情報処理方法であって、
前記第２端末が、前記第１端末と前記第２端末とを通信可能にするための接続情報を、前記第２表示面に表示させる接続情報表示ステップと、
前記第１端末が、前記第２表示面を前記第１表示面に対向するように前記第１表示面上に配置された前記第２端末を前記操作検出部によって検出する端末検出ステップと、
前記第１端末が、前記第１表示面上に配置された前記第２端末の前記第２表示面に表示された前記接続情報を、前記読取部によって読取ることで前記接続情報を取得する読取ステップと、
前記第１端末が、前記接続情報を用いて前記第２端末との接続を確立する接続ステップと、
前記第１端末が、前記第２端末を前記第１表示面で操作するための第１操作画像を前記第１表示面に表示させる第１操作画像表示ステップと、
前記第１端末が、前記第１操作画像に対する操作を前記操作検出部によって検出し、前記第２端末に当該操作に応じた処理を行わせるための処理指示を前記第２端末へ送信する処理指示送信ステップと、
前記第２端末が、前記処理指示に応じた処理を行う処理ステップと、を行うことを特徴とする情報処理方法。
【請求項２】
請求項１に記載の情報処理方法において、
前記第２端末が、前記第２端末を操作するための第２操作画像を前記第２表示面に表示させる第２操作画像表示ステップを行い、
前記第１操作画像表示ステップは、前記第１端末が、少なくとも前記第２操作画像を前記第１端末の第１表示面で再現する前記第１操作画像として表示することにより行われる
ことを特徴とする情報処理方法。
【請求項３】
請求項２に記載の情報処理方法において、
前記第１操作画像表示ステップは、前記第１端末が、前記第２表示面で表示されている前記第２操作画像のサイズよりも大きいサイズの第２操作画像を前記第１操作画像として表示することにより行われる
ことを特徴とする情報処理方法。
【請求項４】
請求項１から請求項３のいずれかに記載の情報処理方法において、
前記接続情報表示ステップの前には、前記第２端末が、前記第１端末から行われる接続要求が正当であることを前記第２端末によって判定させるための判定情報を含む前記接続情報を生成する接続情報生成ステップを行い、
前記接続ステップは、前記第１端末が、前記読取ステップで取得した前記接続情報の前記判定情報を前記第２端末に送信し、前記第２端末が、前記第１端末から送信された前記判定情報に基づいて前記接続要求が正当であることを判定することにより行われることを特徴とする情報処理方法。
【請求項５】
請求項４に記載の情報処理方法において、
前記接続情報生成ステップは、当該接続情報生成ステップを行うごとに、互いに異なる判定情報を含む接続情報を生成することにより行われることを特徴とする情報処理方法。
【請求項６】
請求項１に記載の情報処理方法において、
前記第１端末が、前記第１表示面上に配置されていた前記第２端末が前記第１表示面上から離間したことを前記操作検出部によって検出する離間検出ステップと、
前記第１端末が、前記離間検出ステップにおいて、前記第２端末が前記第１表示面から離間したことを検出すると、前記接続を切断する切断ステップと、を行うことを特徴とする情報処理方法。
【発明の詳細な説明】
【技術分野】
【０００１】
本発明は、情報処理方法に関する。
【背景技術】
【０００２】
インターネットやローカルエリアネットワーク（ＬＡＮ：Local Area Network）等のネットワークに接続して各種データを送受信する情報通信端末が広く普及している。
近年、このような情報通信端末として、タッチパネルを備える高機能携帯電話といった、高機能かつ持ち運び可能な携帯型の情報通信端末が広く知られている。
このような情報通信端末の普及により、情報通信端末間での情報の共有や送受信を行う機会が増加している。このため、複数の情報通信端末間でデータの共有・送受信を行うためのシステムが従来から提案されている（例えば、特許文献１）。【０００３】
特許文献１の構成では、情報通信端末に、その使用者や位置を特定するマーカを予め張り付けておく。そして、予めマーカが張り付けられた情報通信端末を実空間に配置する。この実空間を撮影部で撮影して、マーカを解析することにより、実空間における情報通信端末の位置、使用者および端末情報等を特定する。また、撮影部は、使用者の実空間における操作の内容も撮影し、特定する。これらの特定した情報を用いて、実空間における端末の位置や使用者の操作等を反映させる仮想的な空間である情報空間を形成する処理を行っている。
【先行技術文献】
【特許文献】
【０００４】
【特許文献１】特開２００１−１３６５０４号公報
【発明の概要】
【発明が解決しようとする課題】
【０００５】
特許文献１の構成では、上述のような処理を行うことにより、複数の情報通信端末を情報空間に取り込み、この情報空間を介して情報通信端末間での直感的な情報のやりとりを実現しようとしている。
しかしながら、情報空間に情報通信端末を取り込むためには、上記マーカを予め作成し、情報通信端末に張り付けておく必要がある。すなわち、自らの情報通信端末を情報空間に取り込ませたい使用者は、この情報通信端末を特定するため情報を、管理者に予め提供する必要がある。また、管理者は、その情報をもとにマーカを作成し、使用者に配布する必要がある。さらに、使用者は、配布されたマーカを自らの情報通信端末に貼り付ける必要がある。このように、マーカの作成および貼り付けといった事前準備が必要であり、煩わしいという問題がある。【０００６】
また、情報通信端末間で情報の送受信を行うためには、各情報通信端末およびこの情報空間を管理する機器が、相互に通信可能に接続されている必要がある。
したがって、使用者は、他の情報通信端末、情報空間を管理する機器および自らの情報通信端末を通信可能に接続させるために、自らの情報通信端末のＩＰアドレス等の接続に必要な情報（以下、接続情報ともいう）を、管理者に予め提供する必要がある。そして、管理者は、その接続情報に基づいて、接続の設定を行ったうえで、情報通信端末に貼り付けるマーカと対応付ける作業を行う必要があり、やはり事前準備が煩わしいという問題がある。【０００７】
すなわち、ある情報通信端末を用いて、他の情報通信端末を操作するためには、予め、これらの情報通信端末が互いに通信可能な接続を行うことができるように設定されている必要がある。しかしながら、従来の情報処理システムを用いた情報処理方法では、接続情報を固定したうえでこの接続情報を管理者に提供し、管理者は、予め提供された接続情報に基づいて接続の設定を行う必要があった。したがって、ある情報通信端末を用いて、他の情報通信端末を操作することは容易ではないという問題があった。【０００８】
本発明は、上記課題に鑑みてなされたものであり、所定の端末において、容易に他の端末を操作することができる情報処理方法を提供することを１つの目的とする。
【課題を解決するための手段】
【０００９】
本発明の情報処理方法は、画像を表示する第１表示面、操作を検出する操作検出部、および物体の表面の情報を読取る読取部を備える第１端末と、画像を表示する第２表示面を備える第２端末と、が通信可能に接続された情報処理システムにおける情報処理方法であって、前記第２端末が、前記第１端末と前記第２端末とを通信可能にするための接続情報を、前記第２表示面に表示させる接続情報表示ステップと、前記第１端末が、前記第２表示面を前記第１表示面に対向するように前記第１表示面上に配置された前記第２端末を前記操作検出部によって検出する端末検出ステップと、前記第１端末が、前記第１表示面上に配置された前記第２端末の前記第２表示面に表示された前記接続情報を、前記読取部によって読取ることで前記接続情報を取得する読取ステップと、前記第１端末が、前記接続情報を用いて前記第２端末との接続を確立する接続ステップと、前記第１端末が、前記第２端末を前記第１表示面で操作するための第１操作画像を前記第１表示面に表示させる第１操作画像表示ステップと、前記第１端末が、前記第１操作画像に対する操作を前記操作検出部によって検出し、前記第２端末に当該操作に応じた処理を行わせるための処理指示を前記第２端末へ送信する処理指示送信ステップと、前記第２端末が、前記処理指示に応じた処理を行う処理ステップと、を行うことを特徴とする。
【図面の簡単な説明】
【００１０】
【図１】本発明の一実施形態に係る情報処理システムの模式図。
【図２】前記情報処理システムのブロック図。
【図３】前記情報処理システムにおける設置端末の処理を示すフローチャート。
【図４】前記設置端末の処理を示すフローチャート。
【図５】前記情報処理システムの携帯端末の表示面を示す模式図。
【図６】前記設置端末の表示面を示す模式図。
【図７】前記設置端末の表示面を示す模式図。
【図８】前記設置端末の表示面を示す模式図。
【図９】前記携帯端末の処理を示すフローチャート。
【発明を実施するための形態】
【００１１】
以下、本発明に係る情報処理方法を実現する情報処理システムの一実施形態について、説明する。
｛情報処理システムの構成｝
図１に示すように、情報処理システム１は、第１端末としての設置端末２と、第２端末としての携帯端末４と、サーバ６と、ネットワーク７とを備える。
ネットワーク７は、ローカルエリアネットワークやグローバルネットワーク等のネットワークを形成するための情報通信網であり、無線通信や有線通信により、設置端末２、携帯端末４およびサーバ６を各種情報を通信可能に接続する。
【００１２】
サーバ６は、情報処理システム１を構成するために必要な各種のデータおよびプログラム等を記憶する。また、サーバ６は、インターネットワーク経由で通信する場合など、設置端末２と携帯端末４とが直接通信できない場合は、設置端末２と携帯端末４との通信を仲介する。
なお、情報処理システム１を構成するために必要な各種データおよびプログラム等が設置端末２や携帯端末４に記憶されており、かつ、サーバ６を介して通信を行う必要がない場合は、情報処理システム１は必ずしもサーバ６を備えなくてもよい。
【００１３】
｛設置端末の構成｝
設置端末２は、図２に示すように、第１表示面としての表示面２０を有する表示部２１と、操作検出部２２と、読取部２３と、各種情報通信端末との通信を行う通信手段としての送受信部２４と、記憶部２５と、設置端末２を制御する制御部３０とを備える。
なお、設置端末２は、表示面２０が上方を向くテーブル型のものであってもよいし、壁面などに設置されて表示面２０が水平方向を向く壁掛け型のものであってもよい。また、設置端末２は、音声出力手段を備えてもよい。
【００１４】
表示部２１としては、液晶ディスプレイ、プラズマディスプレイ、有機ＥＬディスプレイ等の各種ディスプレイを用いることができる。
操作検出部２２は、人間の指等の指示物が表示面２０に接触または近接した場合（以下、指示物等が、表示面２０に接触する接触位置に存在する場合と、近接する近接位置に存在する場合とを含めて「表示面２０上に存在する」ともいう）、接触位置または近接位置を検出し、検出結果を制御部３０に送信する。
操作検出部２２は、指示物が表示面２０に近接したことを検出可能な赤外線方式のタッチパネルや、指示物が表示面２０に接触したことを検出可能な静電容量方式や電磁誘導方式などの各種方式のタッチパネルである。なお、操作検出部２２は、タッチパネルに限定されず、例えば、設置端末２に接続されたマウスやキーボード等の、使用者による操作指示を設置端末２に入力可能な各種入力手段でもよい。
【００１５】
読取部２３は、表示面２０上に配置された物体の表面の情報を読取る。例えば、読取部２３は、表示部２１の内部に配置された赤外線方式のスキャナ装置やカメラデバイスなどにより構成される。
なお、表示部２１および読取部２３として、特開平６−１８６５８５号公報「液晶パネル及びそれを用いた情報入力装置」に記載されているような、液晶パネルの各画素に光センサーを内蔵し、液晶パネルの表面に置かれた物体を認知することが可能な液晶ディスプレイを用いても良い。すなわち、表示部２１として液晶ディスプレイを用い、読取部２３として上記光センサーを用いてもよい。このような液晶ディスプレイでは、上記光センサーにより、表示面に置かれた物体の表面の情報を読取ることができる。すなわち、上記光センサーは、読取部２３としての機能を有する。また、上記光センサーは、表示面に接触または近接した指示物の接触位置または近接位置を検出することができる。すなわち、上記光センサーは、操作検出部２２としての機能をも有する。したがって、上記光センサーを備える液晶ディプレイを用いることにより、タッチパネル等の操作検出部２２を別途設けなくとも、指示物が表示面に接触または近接した場合に接触位置または近接位置を検出する操作検出部２２と、物体の表面の情報を読取る読取部２３との両方の機能を実現させることができる。
【００１６】
送受信部２４は、ネットワーク７に接続された他の情報通信端末との間で通信を行う。
記憶部２５は、設置端末２を制御するための各種プログラムやデータを記憶する。例えば、記憶部２５は、携帯端末４の端末種別を特定するための端末情報を記憶する。
【００１７】
制御部３０は、記憶部２５に記憶されたプログラムおよびデータをＣＰＵ（Central Processing Unit）が処理することにより構成される、表示制御手段３１と、コード読取手段３２と、操作内容検出手段３３と、処理指示生成手段３４と、通信制御手段３５とを備える。
表示制御手段３１は、表示面２０に、静止画や動画といったコンテンツを表示させる。また、表示制御手段３１は、操作検出部２２や送受信部２４における入力に基づいて、表示内容を変更する。また、表示制御手段３１は、設置端末２と通信可能に接続された携帯端末４を、使用者が表示面２０上で操作するための第１操作画像としての操作画像２００（図７、図８参照）を表示面２０に表示させる。この操作画像２００は、携帯端末４の表示面４０側の面（以下、「携帯端末４の表示面４０側の面」を「携帯端末４の表面」または「表面」ともいう）を表示面２０に表示した画像である。すなわち、操作画像２００は、表示面２０において携帯端末４の表示面４０を含む表面を仮想的に再現する画像であり、以下、「携帯端末４の操作画像２００」または単に「操作画像２００」ともいう。
【００１８】
ここで、操作画像２００は、携帯端末４の状態に応じて、少なくとも携帯端末４の表示面４０に表示されている、携帯端末４を操作するための第２操作画像としての表示画像４００（図７、図８参照）を表示面２０において再現する。すなわち、設置端末２は、少なくとも当該表示画像４００を操作画像２００として表示する。使用者は、実際の携帯端末４に表示されている表示画像４００を操作する代わりに、表示面２０に表示された操作画像２００を操作する。これにより、あたかも実際に携帯端末４を操作しているかのような操作感で、設置端末２を介して、実際の携帯端末４を操作することができる。この処理については、後に詳述する。
【００１９】
コード読取手段３２は、表示面２０上に配置された携帯端末４の表示面４０に表示されている２次元コード８（図５参照）を読取部２３に読取らせ、この２次元コード８を解析して、２次元コード８に含まれる接続情報を取得する。この接続情報は、設置端末２と携帯端末４とが通信を行うために必要となる情報を含む。接続情報については後に詳述する。
また、コード読取手段３２は、取得した接続情報に含まれる各種の情報を、適宜、制御部３０の各手段に送信する。
【００２０】
操作内容検出手段３３は、操作検出部２２が検出した使用者による表示面２０上での操作の内容を検出する。そして、操作内容検出手段３３は、検出した操作の内容に応じて、制御部３０の各手段に処理指示を行う。
具体的には、操作内容検出手段３３は、操作検出部２２によって検出された操作の内容が、表示面２０上で携帯端末４の操作画像２００に対して行われた操作（以下、「表示面２０上で携帯端末４の操作画像２００に対して行われた操作」を「携帯端末操作」ともいう）であるかを判断する。そして、操作内容検出手段３３は、この操作内容が携帯端末操作であると判断した場合、この操作内容に関する情報を処理指示生成手段３４に送信する。
また、操作内容検出手段３３は、操作検出部２２によって検出された操作内容が、表示面２０の表示内容を変更させる内容である場合、この操作内容に関する情報を表示制御手段３１に送信する。
【００２１】
処理指示生成手段３４は、携帯端末操作の操作内容に関する情報を操作内容検出手段３３から取得すると、携帯端末操作に対応する処理を携帯端末４に行わせるための処理指示情報を生成する。
ここで、処理指示情報は、携帯端末操作に対応する処理として、携帯端末４に行わせる処理の内容を示す処理内容情報と、この処理を携帯端末４に行わせるために必要なデータ（以下、「付随データ」ともいう）とを含む。
【００２２】
例えば、携帯端末操作の内容が「所定のデータを設置端末２から携帯端末４に転送し、携帯端末４に記憶させる」との内容であった場合、処理指示情報は、この操作内容を示す、すなわち、所定のデータを携帯端末４に記憶させるとの処理内容情報を含む。それに加えて、処理指示情報は、付随データとして所定のデータを含む。
【００２３】
また、例えば、携帯端末操作の内容が、「所定のアプリケーションを起動させる」との内容であった場合、処理指示情報は、携帯端末４に当該アプリケーションを起動させる処理を指示する処理内容情報を含む。それに加えて、処理指示情報は、携帯端末４において当該アプリケーションを起動させた際に、実際に携帯端末４の表示面４０に表示される表示画像４００を、操作画像２００として表示面２０に表示させるために必要な情報（例えば、当該アプリケーションにおける使用者の個人設定および画像情報等の各種情報ならびに当該アプリケーションを実行するためのプログラム等であり、以下、「表示情報」ともいう）を携帯端末４から設置端末２に送信させる処理を指示する処理内容情報を含む。
【００２４】
通信制御手段３５は、送受信部２４を制御して、ネットワーク７や、必要に応じてサーバ６を介した携帯端末４との情報通信を制御する。
具体的には、通信制御手段３５は、携帯端末４への接続の許可を求める接続要求情報を携帯端末４に送信するように、送受信部２４を制御する。また、通信制御手段３５は、接続要求が許可されると携帯端末４との接続を確立する。この接続要求情報は、携帯端末４との接続を要求する接続要求信号と、接続要求が正当であることを携帯端末４（または、サーバ６）に判定させるための判定情報としての接続パスワードと、携帯端末４が設置端末２と通信可能に接続するためのＩＰアドレスとを含む。なお、サーバ６を介して通信を行う場合、サーバ６において携帯端末４を識別する必要があるので、接続要求情報は、接続対象となる携帯端末４を識別するための端末識別情報を含む。
また、通信制御手段３５は、処理指示生成手段３４によって生成された処理指示情報を携帯端末４に送信するように、送受信部２４を制御する。
さらに、通信制御手段３５は、送受信部２４が携帯端末４から受信した各種情報を、必要に応じて制御部３０の各手段に送信する。
【００２５】
｛携帯端末の構成｝
携帯端末４は、第２表示面としての表示面４０を有する表示部４１と、操作検出部４２と、操作部４３と、送受信部４４と、記憶部４５と、制御部５０とを備える。
なお、携帯端末４として、例えば、タッチパネルを備える高機能携帯端末いわゆるスマートフォン（Smartphone）や、タブレット端末、タブレットＰＣ（Tablet PC）といった、携帯型情報通信端末が例示できる。
【００２６】
表示部４１としては、液晶ディスプレイ、有機ＥＬディスプレイ等の各種ディスプレイを用いることができる。
操作検出部４２は、人間の指等の指示物が表示面４０に接触した場合、接触位置を検出し、検出結果を制御部５０に送信する。操作検出部４２は、指示物が表示面４０に接触したことを検出可能な静電容量方式や電磁誘導方式などの各種方式のタッチパネルである。なお、操作検出部４２としては、設置端末２において例示したものと同様のものを用いてもよい。また、操作検出部４２としては、携帯端末４に予め設けられている操作ボタン等の各種入力手段を用いてもよい。
操作部４３は、使用者による操作指示を制御部５０に入力するために携帯端末４の筐体に設けられた操作ボタン（図１参照）等の各種操作入力手段である。操作部４３として、操作ボタン以外に、指紋認証を行うための指紋認証装置や、携帯端末４に設けられた、または接続されたキーボードや、接続されたマウス等を用いてもよい。
【００２７】
送受信部４４は、ネットワーク７に接続された他の情報通信端末や携帯端末４との間で通信を行う。
記憶部４５は、携帯端末４を制御するための各種プログラムやデータを記憶する。例えば、記憶部４５は、ネットワーク７を介して設置端末２を携帯端末４に接続するための接続情報としての２次元コード８（図５参照）を生成するための情報を記憶する。
【００２８】
制御部５０は、記憶部４５に記憶されたプログラムおよびデータをＣＰＵが処理することにより構成される、表示制御手段５１と、操作内容検出手段５２と、アプリケーション実行手段５３と、コード生成手段５４と、処理内容特定手段５５と、通信制御手段５６とを備える。
表示制御手段５１は、表示面４０に、静止画や動画といったコンテンツを表示させる。また、表示制御手段５１は、使用者が表示面４０上における操作によって携帯端末４を操作するための表示画像４００を表示面４０に表示させる。また、表示制御手段５１は、操作内容検出手段５２や、処理内容特定手段５５等の各手段からの指示に基づいて、表示内容（すなわち、表示画像４００）を変更する。また、表示制御手段５１は、操作検出部４２によって検出された、または操作部４３の入力に基づく２次元コード８の表示指示に応じて、２次元コード８を表示面４０に表示させる。
【００２９】
操作内容検出手段５２は、操作検出部４２が検出した使用者による表示面４０上での操作の内容を検出する。また、操作部４３を用いた使用者による操作の内容を検出する。そして、操作内容検出手段５２は、検出した操作の内容に応じて、制御部５０の各手段に処理指示を行う。
アプリケーション実行手段５３は、携帯端末４の記憶部４５に記憶されているプログラムに基づいて、携帯端末４において使用可能な各種アプリケーションを実行する。これら各種アプリケーションとは、例えば、メールの作成および送受信を行うメールアプリケーション、文書の作成を行う文書作成アプリケーション、ウェブページを閲覧するためのブラウザおよび音楽を再生・管理するための音楽アプリケーション等である。
【００３０】
コード生成手段５４は、２次元コード８の表示指示に応じて、表示面４０に表示させるべき２次元コード８を生成する。この２次元コード８は、接続情報を含んでいる。設置端末２は、２次元コード８を読取ることで接続情報を取得する。すなわち、コード生成手段５４は、接続情報を設置端末２に伝達可能な１形態として２次元コードを用いる。なお、２次元コード８は、接続情報を設置端末２に伝達可能であればその方式は限定されず、マトリクス型２次元コード、スタック型２次元コード等の各種の方式の２次元コードを用いてよい。
【００３１】
ここで、接続情報は、少なくとも、設置端末２が携帯端末４に通信可能に接続するためのＩＰ(Internet Protocol)アドレスを含む。また、接続情報は、設置端末２からの接続要求が正当な要求であるかを通信制御手段５６に判定させるための接続パスワードと、携帯端末４の仕様や形状といった端末種別を設置端末２が特定するための端末情報と、複数の携帯端末４のそれぞれを識別するための端末識別情報と、携帯端末４における使用者による個人的な設定に関する設定情報とを含む。
【００３２】
また、接続パスワードは、コード生成手段５４が接続情報を含む２次元コード８を生成する際に併せて生成される。すなわち、コード生成手段５４は、パスワード生成手段として機能する。この接続パスワードは、１度の接続要求に対する判定においてのみ有効であり、コード生成手段５４が２次元コード８を生成する際にその都度更新される。接続パスワードの生成方法は特に制限されず、各種の生成方法を用いればよい。
【００３３】
また、接続情報は、設置端末２が携帯端末４に接続するためのＩＰアドレスとして、ＬＡＮに接続可能な際に用いるローカルＩＰアドレスと、グローバルネットワーク（インターネットワーク）に接続可能な際に用いるグローバルＩＰアドレスと、サーバ６を介して通信可能な際に用いるサーバ６のＩＰアドレスとを含む。
なお、端末識別情報は、複数の携帯端末４が同時に設置端末２と通信可能に接続する場合に、設置端末２が複数の携帯端末４のそれぞれを識別するために用いられる。また、端末識別情報は、サーバ６を介して通信する際に、サーバ６において複数の携帯端末４のそれぞれを識別するために用いられる。
【００３４】
処理内容特定手段５５は、設置端末２から送信された処理指示情報に基づいて、携帯端末４が行うべき処理の内容を特定する。
具体的には、処理内容特定手段５５は、処理指示情報に含まれる処理内容情報を解析して、指示された処理の内容を特定する。そして、特定した処理の内容に応じて、制御部５０の各手段に処理指示を行う。
例えば、解析結果が、「所定のアプリケーションを起動する」との内容であった場合、処理内容特定手段５５は、当該アプリケーションを起動する処理指示をアプリケーション実行手段５３に送信する。また、解析結果が、「当該アプリケーションを起動させた際に、実際に表示面４０に表示されるべき表示内容を操作画像２００の仮想表示画像２１０として表示させるために必要な表示情報を、設置端末２に送信する」との内容であった場合、処理内容特定手段５５は、当該表示情報を特定し、これを設置端末２に送信する処理指示を通信制御手段５６に送信する。
【００３５】
なお、コード生成手段５４および処理内容特定手段５５は、設置端末２と携帯端末４との間の情報通信を実現させるために、予め記憶部４５に記憶され、使用可能な状態になっている（すなわち、インストールされている）通信用アプリケーションによって実現される。
【００３６】
通信制御手段５６は、送受信部４４を制御して、ネットワーク７や、必要に応じてサーバ６を介した設置端末２との情報通信を制御する。
具体的には、通信制御手段５６は、設置端末２から接続要求を受けると、すなわち、設置端末２から送信された接続要求情報を送受信部４４から受け取ると、この接続要求情報に含まれる接続パスワードに基づいて、接続要求が正当な要求か否かを判定する。接続要求が正当な要求である場合、通信制御手段５６は、設置端末２との接続を許可して接続を確立する。
また、通信制御手段５６は、設置端末２から送信された処理指示情報を、処理内容特定手段５５へ送信する。
また、通信制御手段５６は、送受信部４４が設置端末２から受信した各種情報を、必要に応じて制御部５０の各手段に送信する。
【００３７】
｛情報処理システムの作用｝
次に、情報処理システム１の作用を説明する。
携帯端末４は、使用者の指示に応じて、表示面４０に接続情報を含む２次元コード８を表示する。そして、携帯端末４は、その表示面４０を設置端末２の表示面２０に対向した状態で表示面２０上に配置される。設置端末２は、表示面２０上に配置された携帯端末４の表示面４０に表示されている２次元コード８を読取部２３によって読取り、これに含まれる接続情報を取得する。さらに、設置端末２は、取得した接続情報を用いて携帯端末４に接続要求を行い、ネットワーク７を介する（必要に応じてサーバ６をも介する）携帯端末４との接続を確立させ、表示面２０の携帯端末４の配置位置の周辺に携帯端末４の操作画像２００を表示する。そして、設置端末２は、この操作画像２００に対する操作（携帯端末操作）を検出し、操作内容に応じた処理を携帯端末４に行わせるための処理指示情報を携帯端末４に送信する。携帯端末４は、処理指示情報に基づく処理を行い、表示面２０上で行われた操作を自らに反映させる。
【００３８】
｛設置端末の作用｝
以下、情報処理システム１の作用の説明として、先ず、設置端末２の作用を説明する。
なお、以下の説明では、使用者が表示面２０上で操作を行ったことを操作検出部２２が検出して、検出結果に基づいて制御部３０が設置端末２を制御する場合について説明するが、本発明はこれに限定されない。例えば、図示しないマウスやキーボード等の各種入力手段を用いて使用者が行った操作を検出することで、制御部３０が設置端末２を制御するようにしてもよい。
また、以下の説明では、基本的に、設置端末２と携帯端末４とがネットワーク７を介して直接通信を行う場合について説明するが、サーバ６を介して通信を行ってもよい。
【００３９】
設置端末２の操作に先立って、使用者は、図５に示すように、携帯端末４の表示面４０に２次元コード８を表示させる。そして、図６に示すように、表示面４０に２次元コード８が表示されている携帯端末４を設置端末２の表示面２０上に、当該表示面２０と携帯端末４の表示面４０とが対向するように配置する。
そして、図３に示すように、設置端末２の操作内容検出手段３３は、操作検出部２２の検出結果を参照して、表示面２０上に物体が配置されたか否かを判断する（ステップＳ１）。上述のように使用者が携帯端末４を表示面２０上に配置すると（図６参照）、操作検出部２２は、物体が表示面２０上に配置されたことを検出する。そして、操作内容検出手段３３は、検出結果に基づいて、表示面２０上に物体が配置されたと判断する。操作内容検出手段３３は、物体が表示面２０上に配置されたと判断するまでステップＳ１を繰り返す。
【００４０】
次に、コード読取手段３２は、読取部２３を用いて、表示面２０上に配置された物体から２次元コード８を読取ることができるか否かを判断する（ステップＳ２）。表示面２０上に配置された物体から２次元コード８を読取ることができない場合、制御部５０は、ステップＳ１に戻る。
一方、表示面２０上に配置された物体が、表示面４０に２次元コード８を表示させている携帯端末４であれば、読取部２３は、２次元コード８を読取ることができる。この場合、コード読取手段３２は、読取部２３に２次元コード８を読取らせて、２次元コード８を取得する（ステップＳ３）。
次に、コード読取手段３２は、読取った２次元コード８を解析して、２次元コード８に含まれる接続情報を取得する（ステップＳ４）。
【００４１】
次に、通信制御手段３５は、送受信部２４を制御して、接続情報に基づく接続要求情報を携帯端末４へ送信する（ステップＳ５）。
接続要求情報を受信した携帯端末４は、接続要求情報に含まれる接続パスワードに基づいて、接続要求が正当であるかを判定し、この接続要求が正当であると判定した場合に接続を許可する。接続が許可されると、設置端末２の通信制御手段３５は、携帯端末４との接続を確立する（ステップＳ６）。
なお、サーバ６を介して通信を行う場合、接続要求の正当性の判定は、サーバ６で行うようにしてもよい。
この場合、サーバ６が接続要求の対象となる携帯端末４を特定する必要があるので、接続要求情報は端末識別情報を含む。そして、ステップＳ５およびステップＳ６における接続確立に関する処理は、設置端末２とサーバ６との間で行われる。すなわち、設置端末２は、接続要求情報をサーバ６に送信する。接続要求情報を受信したサーバ６は、接続要求情報に含まれる接続パスワードおよび端末識別情報に基づいて、接続要求が正当か否かを判定する。サーバ６は、接続要求が正当であると判断すると、設置端末２と携帯端末４との接続を確立して通信可能な状態とする。
また、サーバ６を介して通信を行う場合、接続要求の正当性の判定は上述のように携帯端末４で行うようにしてもよい。
【００４２】
携帯端末４との接続が確立すると、表示制御手段３１は、携帯端末４の表示面４０に表示されている表示画像４００を含む操作画像２００を表示面２０上に配置された携帯端末４の配置位置周辺に表示させる（ステップＳ７）。
図７に示すように、表示面２０上に配置された携帯端末４の周辺に操作画像２００が表示されている。操作画像２００は、携帯端末４の表示面４０に表示されている表示画像４００を表示面２０に表示した仮想表示画像２１０と、携帯端末４の操作部４３を表示面２０に表示した仮想操作部２０１とを含む。図７に示す仮想表示画像２１０は、携帯端末４において操作が行われていない時に表示される待機画面を示す画像であり、一例として、各種アイコン２１１および背景画像で構成される。
また、図７に示すように、携帯端末４は、表示面４０側を設置端末２に向けて、設置端末２の表示面２０上に配置されている。この携帯端末４の表示面４０には、待機画面としての表示画像４００が表示されている。この表示画像４００は、一例として、図７の点線で示すように、仮想表示画像２１０の各種アイコン２１１のそれぞれに対応する各種アイコン４０１および背景画像で構成される。
すなわち、設置端末２は、表示画像４００を仮想表示画像２１０として表示面２０に表示している。したがって、仮想表示画像２１０は、表示面２０において表示画像４００を再現するために表示されている。
【００４３】
表示制御手段３１は、接続情報に含まれる携帯端末４の端末情報および設定情報に基づいて、携帯端末４の表面および表示画像４００を操作画像２００として表示面２０に表示する。なお、この操作画像２００を表示させるために必要な表示情報が記憶部２５に記憶されていない場合、設置端末２は携帯端末４やサーバ６からこの情報を適宜取得する。
また、本実施形態では、表示面２０に操作画像２００を表示する際に、通常、手のひら程度のサイズの携帯端末４を、例えば、Ａ４サイズ程度に拡大して表示する。すなわち、設置端末２の表示面２０には、実際の携帯端末４の表示画像４００を拡大した仮想表示画像２１０が表示される。なお、操作画像２００を拡大表示する際の拡大率は特に制限されず、携帯端末４のサイズや表示面２０のサイズ等に応じて適宜設定してもよい。
【００４４】
次に、図４に示すように、操作内容検出手段３３は、操作検出部２２が使用者による表示面２０上での操作を検出したか否かを判断する（ステップＳ８）。操作内容検出手段３３は、操作検出部２２が使用者による表示面２０上での操作を検出するまで、ステップＳ８の処理を繰り返す。
そして、ステップＳ８において、操作内容検出手段３３は、操作検出部２２が使用者による操作を検出すると、当該操作が、操作画像２００を用いた操作（すなわち、携帯端末操作）であるか否かを判断する（ステップＳ９）。
【００４５】
ステップＳ９において、当該操作が携帯端末操作であると判断された場合、操作内容検出手段３３は、当該操作の内容を検出し、検出した操作の内容に関する情報を処理指示生成手段３４に送信する。処理指示生成手段３４は、この操作の内容に応じて携帯端末４に行わせる処理を、携帯端末４に指示するための処理指示情報を生成する。そして、通信制御手段３５は、当該処理指示情報を、携帯端末４へと送信させる（ステップＳ１０）。なお、ステップＳ１０において、上記の処理以外にも、操作内容検出手段３３は、検出した操作の内容に応じて制御部３０の各手段に必要に応じて処理指示を行う。
一方、ステップＳ９において、携帯端末操作ではないと判断された場合、制御部３０は、ステップＳ１０を行わずに後述するステップＳ１１を行う。
【００４６】
ここで、ステップＳ８〜ステップＳ１０の処理の一例として、操作画像２００を用いて、電子メールを作成する処理を説明する。
図７に示すように、仮想表示画像２１０として表示されているアイコン２１１のうち、電子メールの作成および送受信を管理するメールアプリケーションのアイコン２１１を用いてメールアプリケーションの起動指示に対応する操作を表示面２０上で行う。操作検出部２２は、この起動指示に対応する操作を検出する。この検出結果に基づいて、操作内容検出手段３３は、表示面２０上で操作画像２００を用いた操作が行われ、当該操作がメールアプリケーションの起動指示であることを検出し、この検出結果を処理指示生成手段３４に送信するとともに、検出結果に応じた処理指示を制御部３０の各手段に送信する。処理指示生成手段３４は、操作内容検出手段３３の検出結果に応じて、携帯端末４にメールアプリケーションを起動させるための処理指示情報を生成する。通信制御手段３５は、生成された処理指示情報を携帯端末４へ送信させる。
【００４７】
一方、処理指示情報を受信した携帯端末４は、処理指示情報に基づいてメールアプリケーションを起動する。
すなわち、携帯端末４は、処理指示情報に基づいて、メールアプリケーションを起動し、表示面４０に当該アプリケーションのインターフェースを表示する。それとともに、携帯端末４は、表示面４０に表示されるべき内容を設置端末２の表示面２０上で再現可能とするために、各種表示情報、および当該アプリケーションにおいて使用者によって行われた設定に関する設定情報等を必要に応じて設置端末２に送信する。
【００４８】
そして、使用者が、表示面２０に表示された操作画像２００を操作して、メールを作成するための作成画面を仮想表示画像２１０とする操作画像２００を表示面２０に表示させる。
図８に示すように、仮想表示画像２１０は、文字を入力するための入力部２１２と、入力された文章を表示する文章表示部２１３とを含む。
入力部２１２は、文章を入力するための各種文字アイコン（図８では、アルファベット）や、上下左右に入力位置を移動させる移動指示アイコン（不図示）等の、電子メール作成の際の各種の指示を行うためのアイコンを表示する。
文章表示部２１３は、入力された文章を表示する。
携帯端末４は、表示面４０を設置端末２に向けて、設置端末２の表示面２０上に配置されている。その表示面４０には、設置端末２に表示されている仮想表示画像２１０と同様の内容の表示画像４００が表示されている。この表示画像４００は、仮想表示画像２１０の入力部２１２および文章表示部２１３のそれぞれに対応する入力部４０２および文章表示部４０３を含む。
【００４９】
使用者は、仮想表示画像２１０の入力部２１２に表示された各種のアイコンを操作して、文章を作成する。設置端末２は、操作内容検出手段３３によって操作内容を検出し、例えば、文字「Ａ」を入力する操作である場合、当該操作内容に応じて「Ａの入力」を行うことを携帯端末４に指示する処理指示情報を携帯端末４に送信する。携帯端末４は、当該処理指示情報に応じて、メールアプリケーションにおいて、「Ａ」を入力する処理を行う。そして、携帯端末４は、「Ａ」が入力された状態を表示画像４００の文章表示部４０３に表示する。そして、携帯端末４は、表示面４０に表示するべき表示画像４００を、仮想表示画像２１０として表示面２０に表示させるための表示情報を設置端末２に送信する。設置端末２は、当該情報を用いて、仮想表示画像２１０の文章表示部２１３に「Ａ」を表示する。
このように、表示面２０に表示された操作画像２００に対して操作が行われると、当該操作に応じて、設置端末２は、処理指示情報を携帯端末４に送信する。携帯端末４は、この処理指示情報に応じた処理を行う。
【００５０】
次に、図４に示すように、操作内容検出手段３３は、携帯端末４が表示面２０上から取り除かれたか否かを判断する（ステップＳ１１）。具体的には、操作内容検出手段３３は、ステップＳ６で、接続を確立した際に、表示面２０上に配置されている物体が、携帯端末４であると判断し、当該物体が携帯端末４であることを記憶部２５に記憶している。そして、操作検出部２２の検出結果に基づいて、配置されていた携帯端末４が表示面２０上から取り除かれた否かを判断する。
そして、操作内容検出手段３３は、ステップＳ１１において、携帯端末４が取り除かれていないと判断した場合、通信処理の終了指示を受けたか否かを判断する（ステップＳ１２）。操作内容検出手段３３は、ステップＳ１２において、終了指示を受けていないと判断した場合、ステップＳ８の処理を行う。
一方で、操作内容検出手段３３は、ステップＳ１１において、携帯端末４が取り除かれた、またはステップＳ１２において、終了指示を受けたと判断した場合、携帯端末４との接続を切断し（ステップＳ１３）、通信処理を終了する。具体的に、通信制御手段３５は、処理を終了させる終了指示を携帯端末４に送信させるとともに、携帯端末４との接続を終了させる。また、表示制御手段３１は、表示面２０に表示させていた操作画像２００を消去させる。
【００５１】
｛携帯端末の作用｝
次に、携帯端末４の作用を説明する。
図９に示すように、まず、携帯端末４の通信制御手段５６は、２次元コード８の表示指示を受けたか否かを判断する（ステップＳ２１）。使用者が表示面４０上で２次元コード８の表示指示に対応する操作を行うと、操作検出部４２がこの操作を検出する。この検出結果に基づいて、操作内容検出手段５２は、２次元コード８の表示指示を受けたと判断する。操作内容検出手段５２は、表示指示を受けるまでステップＳ２１の処理を繰り返す。なお、使用者が操作部４３を用いて表示指示を行った場合も操作内容検出手段５２は同様の判断を行う。
【００５２】
ステップＳ２１において、操作内容検出手段５２が２次元コード８の表示指示を受けたと判断すると、コード生成手段５４は、２次元コード８を生成する（ステップＳ２２）。
次に、表示制御手段５１は、図５に示すように、表示面４０に２次元コード８を表示させる（ステップＳ２３）。
次に、通信制御手段５６は、送受信部４４を介して設置端末２から送信された接続要求情報を受信したか否かを判断する（ステップＳ２４）。通信制御手段５６は、設置端末２から接続要求情報を受信するまで、ステップＳ２４の処理を繰り返す。
そして、通信制御手段５６は、ステップＳ２４において、接続要求情報を受信したと判断すると、この接続要求情報から接続パスワードを取得する。そして、通信制御手段５６は、この接続パスワードが正しいか否かを判定する（ステップＳ２５）。
【００５３】
通信制御手段５６は、接続要求が正当であると判断すると、接続を許可する。そして、通信制御手段５６は、設置端末２との接続を確立する（ステップＳ２６）。ステップＳ２６では、表示制御手段５１は、設置端末２との接続が確立すると、表示面４０に表示させている２次元コード８を消去するとともに、表示面４０に待機画面（図７参照）を表示させる（第２操作画像表示ステップ）。
一方、接続パスワードが不正なパスワードである場合、通信制御手段５６は、接続要求が不当であると判断して、この接続要求に対する接続を拒否して、処理を終了する。なお、接続要求が不当な場合、ステップＳ２４に戻り、再度、接続要求があるまでステップＳ２４を繰り返すようにしてもよい。
なお、サーバ６を介して通信を行う場合、ステップＳ２４〜ステップＳ２６における接続要求の承認に関する処理は、上述のようにサーバ６で行ってもよいし、携帯端末４で行ってもよい。
【００５４】
次に、通信制御手段５６は、ステップＳ１０（図４参照）において設置端末２から送信される処理指示情報を受信したか否かを判断する（ステップＳ２７）。
通信制御手段５６は、ステップＳ２７において処理指示情報を受信したと判断した場合、処理指示情報を処理内容特定手段５５に送信する。処理内容特定手段５５は、この処理指示情報に含まれる処理内容情報を解析して、指示された処理の内容、すなわち表示面２０上で操作画像２００に対して行われた操作に対応する処理の内容を検出する。そして、処理の内容に応じて、制御部５０の各手段に処理指示を行う。そして、制御部５０の各手段は、処理内容特定手段５５による処理指示に応じた処理を行う（ステップＳ２８）。
一方、ステップＳ２７において、制御部５０は、処理指示情報を受信していないと判断した場合、ステップＳ２８の処理を行わずに後述するステップＳ２９を行う。
【００５５】
ステップＳ２８の「処理指示情報に応じた処理」は、例えば、上述のようにメールアプリケーションを起動して、メールの作成を行う処理の場合、携帯端末４は、処理指示情報に応じて、メールアプリケーションを起動し、メールアプリケーションにおいて、文章を入力する処理を行い、入力された文章を表示面４０に表示する。また、携帯端末４は、処理指示に応じた処理を行う際に、必要に応じて表示情報を設置端末２に送信する。
【００５６】
このように、ステップＳ２８の「処理指示情報に応じた処理」を行うことにより、使用者によって設置端末２の表示面２０上で行われた携帯端末操作に対応する処理が実行され、当該操作が実際の携帯端末４に反映される。それとともに、反映された状態の携帯端末４が操作画像２００として表示面２０にて再現される。これにより、使用者は、表示面２０に表示された操作画像２００を用いて携帯端末４を操作するとともに、当該操作に応じて更新された操作画像２００を用いて引き続き携帯端末４を操作することができる。
【００５７】
次に、通信制御手段５６は、設置端末２から終了指示を受信したか否かを判断し（ステップＳ２９）、終了指示を受信していないと判断した場合、制御部５０は、ステップＳ２７の処理を行う。一方、通信制御手段３５は、ステップＳ２９において、終了指示を受信したと判断した場合、設置端末２との接続を切断する（ステップＳ３０）。そして、制御部５０は、本フローチャートによる処理を終了する。
【００５８】
｛実施形態の作用効果｝
上述したような実施形態では、以下のような作用効果を奏することができる。
（１）情報処理システム１の携帯端末４は、使用者の指示に応じて、設置端末２との通信を可能にするための２次元コード８を表示面４０に表示させる。そして、使用者によって携帯端末４の表示面４０を設置端末２の表示面２０に対向するように携帯端末４が表示面２０上に配置されると、設置端末２は、読取部２３によって表示面４０に表示された２次元コード８を読取り、コード読取手段３２によって解析して接続情報を取得する。その後、設置端末２は、接続情報を用いて携帯端末４との接続を確立する。
このため、使用者は、携帯端末４に２次元コード８の表示指示を行い、携帯端末４を設置端末２の表示面２０上に配置するという操作を行うだけで、設置端末２と携帯端末４とを通信可能な状態にすることができる。すなわち、専門的な知識を有していない使用者であっても、事前準備等の煩雑な作業を行うことなく、かつ、容易に、携帯端末４を設置端末２と通信可能な状態にすることができる。
また、情報処理システム１は、接続情報を携帯端末４の表示面４０に表示させ、それを設置端末２が読取ることによって取得して、接続を確立させる。
このため、接続に必要な情報、例えば、携帯端末４のＩＰアドレス等の情報を予め管理者に通知したり、設置端末２に設定したりしなくとも、接続を確立させる度に、適切な接続情報を設置端末２に通知することができる。すなわち、携帯端末４のＩＰアドレスを固定しておき、かつ、これを予め通知する必要がないので、設置端末２と携帯端末４との接続においてオンデマンドな接続が可能となる。
また、情報処理システム１は、携帯端末４を表示面２０で操作するための操作画像２００を表示面２０に表示させる。この後、設置端末２において、操作画像２００に対する操作を操作検出部２２によって検出し、検出結果に応じた処理指示情報を携帯端末４へ送信する。そして、携帯端末４において、この処理指示情報に応じた処理を行う。
このため、使用者は、表示面２０に表示された携帯端末４の操作画像２００を操作することにより、設置端末２を介して実際の携帯端末４を操作することができる。情報処理システム１では、接続を確立させるために、携帯端末４の操作面である表示面４０を設置端末２の表示面２０に向けて配置する。このような場合、使用者は、この状態において携帯端末４を操作することができない。しかし、情報処理システム１では、携帯端末４の操作画像２００を表示面２０に表示させるので、使用者は、これを用いて携帯端末４を操作することができる。
以上のように、情報処理システム１は、設置端末２と携帯端末４とを通信可能なオンデマンドな接続を容易に実現するとともに、設置端末２において携帯端末４を操作することを容易とする。
【００５９】
（２）携帯端末４は、当該携帯端末４を操作するための表示画像４００を表示面４０に表示する。そして、設置端末２は、表示画像４００を、携帯端末４を操作するための操作画像２００として表示面２０に表示する。使用者は、表示面４０に表示される表示画像４００を再現する操作画像２００を表示面２０上で操作することで、携帯端末４を操作することができる。このため、使用者は、あたかも携帯端末４を操作しているかのような感覚で操作画像２００を操作することで、設置端末２において携帯端末４を操作することができる。
なお、情報処理システム１では、操作画像２００は、携帯端末４の表示面４０側の面を再現する。すなわち、操作画像２００は、携帯端末４に実装されている機能のうち、操作部４３によって実現される機能等の表示面４０側の面から操作可能な機能を表示面２０において利用可能としている。このため、使用者は、操作画像２００を操作することで、携帯端末４に実装されている各種の機能を設置端末２において利用することができる。
【００６０】
（３）操作画像２００は、表示面２０に表示される際に、実際の携帯端末４よりも大きいサイズで表示される。すなわち、設置端末２は、携帯端末４の表示画像４００を拡大した画像として、仮想表示画像２１０を表示面２０に表示する。このため、使用者が操作画像２００を操作する際に、携帯端末４よりも大きいサイズの操作画像２００を操作することになるので、例えば、文字入力を行う際等の誤操作を抑制することができ、操作性を向上させることができる。また、動画や写真といったコンテンツを閲覧する際に、より大きいサイズの画面で閲覧することができ、使用者の興趣を向上させることができる。
【００６１】
（４）携帯端末４は、第１端末から行われる接続要求が正当であることを判定するための接続パスワード（判定情報）を含む２次元コード８（接続情報）を生成し、生成した２次元コード８を表示面４０に表示する。そして、設置端末２は、接続パスワードを取得して、接続要求を行う際に携帯端末４に送信する。接続要求を受けた、携帯端末４は、設置端末２から送信された接続パスワードに基づいて接続要求が正当であることを判定する。
これにより、接続確立の際に、接続パスワードを用いる判定を行い、かつ、この接続パスワードを予め管理者に通知する必要がないため、設置端末２と携帯端末４との間で行われる情報通信におけるセキュリティーを向上させることができる。
また、接続パスワードを予め管理者に通知したり、設置端末２に設定しておくという煩雑な作業を行う必要がなく、接続の承認を容易に行うことができる。
【００６２】
（５）携帯端末４は、２次元コード８を生成するごとに、当該２次元コード８に含まれる接続パスワードを更新して、互いに異なる接続パスワードを含む２次元コード８を生成する。
これにより、接続を行う度に新たな接続パスワードが異なる接続パスワードに更新されるため、設置端末２と携帯端末４との間で行われる情報通信におけるセキュリティーを向上させることができる。
【００６３】
（６）設置端末２は、表示面２０上に配置されていた携帯端末４が表示面２０上から離間したことを検出すると、携帯端末４との接続を切断する。
これにより、携帯端末４が表示面２０上から取り除かれると、設置端末２と携帯端末４とにおける接続が切断される。したがって、使用者は、携帯端末４を取り除くだけで設置端末２との接続を切断させることができるので、接続の切断に関して煩雑な作業を行う必要がなく、情報処理システム１を利用することが容易である。また、携帯端末４を取り除くだけで設置端末２との接続が切断されるので、使用者の意図に反して、設置端末２と携帯端末４との間で接続が継続されることを防止することができ、設置端末２と携帯端末４との間で行われる情報通信におけるセキュリティーを向上させることができる。
【００６４】
［変形例］
本発明は前述の実施形態に限定されるものではなく、本発明の目的を達成できる範囲での変形、改良などは本発明に含まれるものである。
前記実施形態では、携帯端末４は、設置端末２の表示面２０に、その表示面４０を対向させた状態で配置されている際、すなわち、設置端末２と携帯端末４との接続が行われている際に、当該表示面４０に表示画像４００を表示させるとしたが、本発明はこれに限定されない。携帯端末４は、表示画像４００を表示面４０に表示させず、表示可能な状態とする内部処理を制御部５０において行うようにしてもよい。
【００６５】
また、前記実施形態では、「携帯端末操作」として、メールを作成する操作を一例として説明したが、本発明はこれに限定されない。「携帯端末操作」は、実際の携帯端末４に反映可能、すなわち携帯端末４において実現可能な操作であればよい。
例えば、「携帯端末操作」は、設置端末２が保持している画像および音楽等のコンテンツ、ならびにアプリケーション等を携帯端末４に転送する操作でもよい。例えば、設置端末２において、上記コンテンツおよびアプリケーションを操作画像２００にドラッグ＆ドロップする操作等を転送指示として関連付けておく。そして、設置端末２は、当該操作を検出すると、記憶部２５に記憶されている上記コンテンツおよびアプリケーション等を取得し、上記コンテンツおよびアプリケーション等を、携帯端末４に転送するように構成すればよい。
【００６６】
また、「携帯端末操作」は、携帯端末４が保持している上記コンテンツおよびアプリケーション等を設置端末２において再生または実行する操作でもよい。例えば、設置端末２は、携帯端末４の記憶部４５に記憶されている上記コンテンツおよびアプリケーション等を取得し、上記コンテンツおよびアプリケーション等を再生または実行するように構成すればよい。アプリケーションを実行する場合は、操作画像２００の表示面４０に対応する表示領域にアプリケーションが表示されるようにしてもよいし、当該表示領域外に表示されるようにしてもよい。なお、設置端末２は、携帯端末４が予め保持しているコンテンツおよびアプリケーション等のリストやアイコンを取得する。そして、その中から使用者が再生したいコンテンツや、実行したいアプリケーションを選択することにより、選択されたコンテンツに関するデータまたはアプリケーションのみを実際に携帯端末４から取得するようにしてもよい。
【００６７】
また、前記実施形態では、「携帯端末操作」すなわち操作画像２００を用いた操作を行う度に（すなわち、リアルタイムに）設置端末２と携帯端末４との間で通信を行って、携帯端末４の状態を更新するとともに、表示面２０に表示された操作画像２００を更新する処理について説明したが、本発明はこれに限定されない。例えば、メールを作成し、送信する操作を表示面２０上で行う場合、設置端末２は、メールアプリケーションの全てまたは一部の機能を操作画像２００において実行可能とするプログラムと、携帯端末４の設定情報とを取得する。そして、設置端末２は、このプログラムと設定情報とを用いて、メールアプリケーションのインターフェースを操作画像２００として表示させる。そして、設置端末２においてメールの作成操作を実行可能とする。使用者が、操作画像２００を操作してメールを作成し、送信指示を行うと、設置端末２は、送信指示を受けたことを処理内容情報とし、作成されたメールのデータを付随データとする処理指示情報を生成し、これを携帯端末４に送信する。携帯端末４は、この処理指示情報に基づいて、設置端末２において作成されたメールを送信する処理を行う。
すなわち、設置端末２において携帯端末４の機能の少なくとも一部を実現させるように構成し、設置端末２において携帯端末４のアプリケーションを実行する。そして、所定のタイミングで設置端末２と携帯端末４との間で通信を行って、「携帯端末操作」に対応する処理を携帯端末４に行わせるように構成してもよい。
【００６８】
また、前記実施形態では、操作画像２００の仮想表示画像２１０を用いて携帯端末４を操作することについて説明したが、本発明はこれに限定されない。携帯端末４が予め備えている任意の機能を表示面２０上で実現するようにしてもよい。より具体的には、携帯端末４が指紋認証等の機能を備えている場合、この指紋認証等の機能を表示面２０上において実行可能とする操作画像２００を表示するように構成してもよい。
この場合、設置端末２は、携帯端末４から送信された端末情報から携帯端末４の端末種別を特定する。設置端末２は、特定した携帯端末４の端末種別に基づいて、携帯端末４の機能を実現させるためのプログラムや画像データ等の各種のデータを、記憶部２５または必要に応じてサーバ６から取得する。そして、設置端末２は、これら各種のデータを用いて、指紋認証等の機能を実現可能なように、指紋認証等の機能を実現する仮想操作部２０１を含む操作画像２００を表示面２０に表示するように構成すればよい。
【００６９】
また、前記実施形態では、携帯端末４は、２次元コード８の表示指示に応じて、接続パスワードを生成し、接続パスワードを更新するとしたが、本発明はこれに限定されない。例えば、携帯端末４は、所定の期間の経過毎に接続パスワードを更新してもよい。また、所定の動作の検出をきっかけとして更新してもよい。すなわち、携帯端末４は、所定の取決めに応じて接続パスワードを更新し、これを記憶部４５に記憶しておいてもよい。
また、例えば、携帯端末４は、予め設定された複数の接続パスワードを記憶部４５に記憶しておき、２次元コード８の表示指示に応じて、接続パスワードを適宜選択してもよい。
また、例えば、携帯端末４は、接続パスワードを更新せずに、予め設定された１つの接続パスワードを用いてもよい。
【００７０】
また、前記実施形態では、携帯端末４は、２次元コード８を生成し、表示させるとしたが、本発明はこれに限定されない。例えば、２次元コード８を予め記憶部４５に記憶しておき、２次元コード８を表示する際に、記憶されている２次元コード８を取得して、表示させるようにしてもよい。
また、前記実施形態では、接続情報を２次元コードの形式を用いて表示するとしたが、本発明はこれに限定されない。例えば、接続情報の表示形式は、１次元コードであってもよいし、具体的な文字であってもよい。なお、接続情報として２次元コードを用いることにより、接続情報として複数の情報を１つのコードで表現することができる。また、設置端末２が携帯端末４の表示面４０に表示された２次元コードを読み取るだけで、煩雑な処理を行うことなく、設置端末２と携帯端末４とを通信可能に接続させることができる。
【００７１】
また、前記実施形態では、操作画像２００は、携帯端末４の表示面４０側の面（表面）を再現する画像としたが、本発明はこれに限定されない。例えば、携帯端末４の側面側や背面側に、携帯端末４を操作するための操作手段やディスプレイ等が設けられている場合、必要に応じて、携帯端末４の側面や背面を再現する画像を操作画像２００として表示面２０に表示してもよい。
【００７２】
また、操作画像２００は、携帯端末４に端末種別に固有の操作画像２００を表示させているが、本発明はこれに限定されない。例えば、携帯端末４の表示画像４００に対応する仮想表示画像２１０のみを用いて行う操作のみを行う場合、すなわち、操作部４３によって実現される機能を設置端末２の表示面２０上で実行する必要がない場合、操作画像２００は、仮想表示画像２１０とフレームを有する一般的な携帯端末を示す操作画像であってもよい。また、仮想表示画像２１０のみを操作画像として表示面２０に表示させてもよい。この場合、携帯端末４が実装する全ての機能を表示面２０上の操作によって実現させることはできないものの、表示面４０に表示される表示画像４００を仮想表示画像２１０として表示面２０に表示することができる。これにより、使用者は、仮想表示画像２１０を操作することで、携帯端末４を操作することができる。
【００７３】
また、前記実施形態では、操作画像２００を携帯端末４の配置位置の周辺に表示するとしたが、本発明はこれに限定されず、操作画像２００を表示面２０の任意の位置に表示してもよい。例えば、携帯端末４を表示面２０の端部に配置して、操作画像２００を表示面２０の中央付近に表示するようにしてもよい。これにより、操作画像２００の操作を行う際に、操作に関与しない携帯端末４を表示面２０の端部に配置させることができ、表示面２０の表示領域を有効に活用することができる。
【００７４】
また、前記実施形態では、設置端末２は、表示面２０に操作画像２００を表示する際に、実際の携帯端末４よりも大きいサイズの操作画像２００を表示するように構成したが、本発明はこれに限定されない。すなわち、操作画像２００を携帯端末４と同じサイズとなるように表示してもよい。また、設置端末２は、使用者による操作に応じて、操作画像２００の表示サイズや表示位置を適宜調整可能に構成されてもよい。
【００７５】
また、前記実施形態では、設置端末２に１つの携帯端末４を接続する構成について説明したが、本発明はこれに限定されない。情報処理システム１は、複数の携帯端末４のそれぞれに２次元コード８を表示させ、これら複数の携帯端末４と設置端末２とを同時に接続するように構成してもよい。この場合であっても、各携帯端末４と設置端末２との間で前記実施形態と同様の処理を行えばよい。なお、この場合、接続情報に端末識別情報を含めることにより設置端末２は、携帯端末４を識別することができる。これにより、例えば、設置端末２は、携帯端末４の操作画像２００を表示させる際に、表示面２０上における携帯端末４の配置位置近傍に操作画像２００を表示させることができる。したがって、複数の使用者が同時に設置端末２を使用する場合であっても、それぞれの使用者が、自分の携帯端末の操作画像がどれであるかを直感的に認識し易くすることができ、誤認を防ぐことができる。
【００７６】
また、前記実施形態では、接続情報は、携帯端末４に接続するためのＩＰアドレス、接続パスワード、端末情報、端末識別情報および設定情報を含むとしたが、本発明はこれに限定されない。例えば、設置端末２の接続要求の正当性を判定する必要がなければ接続パスワードは不要である。また、サーバ６を介して通信を行う必要がなければ、サーバ６のＩＰアドレスは不要である。また、端末種別を特定する必要がなければ端末情報は不要である。また、複数の携帯端末４を識別する必要がなければ端末識別情報は不要である。すなわち、接続情報は、設置端末２と携帯端末４との間で情報通信可能な接続を確立させ、情報処理システム１において実現させたい機能を実現可能とするために必要な情報を少なくとも含めばよい。
【００７７】
また、接続要求情報は、接続パスワードおよび端末識別情報を必ずしも含まなくてもよい。設置端末２との接続を確立させるために接続パスワードを使用しない場合は、接続パスワードは不要である。また、サーバ６を介する通信を行わない場合のように、複数の携帯端末４を識別する必要がなければ端末識別情報は不要である。すなわち、接続要求情報は、設置端末２と携帯端末４との間で情報通信可能な接続を確立させるために必要な情報を少なくとも含めばよく、単に接続要求を示す信号であってもよい。
【００７８】
また、前記実施形態において、携帯端末４は、指紋認証やパスワード入力による認証処理を行った後に、２次元コード８を表示させるように構成してもよい。これにより、接続情報を表示させるためにも認証を行う必要があるため、情報処理システム１におけるセキュリティーを向上させることができる。
【００７９】
また、前記実施形態では、設置端末２と携帯端末４とはネットワーク７を介して接続するとしたが、これに限定されず、ネットワーク７を介さずに、例えば、Ｂｌｕｅｔｏｏｔｈ（登録商標）を用いて、設置端末２と携帯端末４とを接続可能に構成してもよい。この場合、Ｂｌｕｅｔｏｏｔｈ（登録商標）による接続を設定するための情報を接続情報に含ませておけばよい。
【００８０】
また、前記実施形態では、設置端末２と接続させる情報通信端末として携帯端末４を用いて説明したが、本発明はこれに限定されない。
例えば、携帯端末４の代わりに、携帯型ゲーム機を用いてもよい。この場合、設置端末２と携帯型ゲーム機とを接続させて、設置端末２の表示面２０に携帯型ゲーム機の操作画像を表示させる。そして、この操作画像を操作することにより、実際の携帯型ゲーム機を操作することができる。例えば、携帯型ゲーム機が保持するキャラクターを表示面２０上に表示させてゲームを行ったり、ゲームで獲得したアイテムを操作画像にドラッグ＆ドロップしたりすることで携帯型ゲーム機に転送させることができる。
このように、接続情報を生成する生成手段、および接続情報を表示する表示部を備える情報通信端末を携帯端末４の代わりに用いることで、前記実施形態と同様の効果を得ることができる。
【００８１】
また、前記実施形態では、携帯端末４を接続させる情報通信端末として設置端末２を用いて説明したが、本発明はこれに限定されない。
例えば、設置端末２の代わりに、デジタルサイネージ（電子看板）を用いてもよい。この場合、デジタルサイネージの表示面に操作画像２００を表示させる。そして、操作画像２００にデジタルサイネージの表示面に表示されているコンテンツをドラッグ＆ドロップする等の操作を行うことができる。
また、例えば、設置端末２の代わりに、カーナビゲーション装置を用いてもよい。この場合でも同様に、カーナビゲーション装置の表示面に表示された操作画像２００を操作することにより、携帯端末４を操作することができる。
このように、表示面に対する操作を検出可能な検出手段、接続情報を読取り可能な読取手段および操作指示を入力可能な入力手段を備える各種表示装置や、これら各種表示装置を備えるＰＣ（Personal Computer）等の装置を、設置端末２の代わりに用いることで、前記実施形態と同様の効果を得ることができる。
【符号の説明】
【００８２】
１…情報処理システム
２…設置端末（第１端末）
４…携帯端末（第２端末）
８…２次元コード（接続情報）
２０…設置端末の表示面（第１表示面）
２２…操作検出部
２３…読取部
４０…携帯端末の表示面（第２表示面）
２００…携帯端末の操作画像（第１操作画像）
４００…表示画像（第２操作画像）
【図１】
2014024257.tif 000003
【図２】
2014024257.tif 000004
【図３】
2014024257.tif 000005
【図４】
2014024257.tif 000006
【図５】
2014024257.tif 000007
【図６】
2014024257.tif 000008
【図７】
2014024257.tif 000009
【図８】
2014024257.tif 000010
【図９】
2014024257.tif 000011
【国際調査報告】
2014024257.tif 000012
2014024257.tif 000013
2014024257.tif 000014
2014024257.tif 000015